(57)【要約】【課題】簡単な構造で、蓋体をボックス本体に対して複数の方向に開閉させることができるコンソールボックスを提供する。【解決手段】コンソールボックス１は、上端に開口２ａが設けられたボックス本体２と、ボックス本体２に左側、右側及び後側の３方向に開閉可能に取り付けられ、開口２ａを塞ぐ蓋体３とを備え、蓋体３には、ボックス本体２側に突出した複数のストライカ１４〜１６が設けられており、ボックス本体２には、ストライカ１４〜１６と係合する複数のラッチ１８〜２０が設けられており、ストライカ１４〜１６及びラッチ１８〜２０は、前後左右に対応する４辺のうちの後側、左側及び右側に対応する３辺に配置されており、ストライカ１４〜１６は、ラッチ１８〜２０と係合した状態でラッチ１８〜２０に対して相対的に回動可能である。【選択図】図１
2020050300.tif 000002
【特許請求の範囲】
【請求項１】
上端に開口が設けられたボックス本体と、
前記ボックス本体に前後左右の４方向のうちの少なくとも２方向に開閉可能に取り付けられ、前記開口を塞ぐ蓋体とを備え、
前記蓋体及び前記ボックス本体の一方には、前記蓋体及び前記ボックス本体の他方側に突出した複数の突状部が設けられており、
前記蓋体及び前記ボックス本体の他方には、前記突状部と係合する複数の突受け部が設けられており、
前記突状部及び前記突受け部は、前後左右に対応する４辺のうちの少なくとも２辺に配置されており、
前記突状部は、前記突受け部と係合した状態で前記突受け部に対して相対的に回動可能であるコンソールボックス。
【請求項２】
前記突状部は、ストライカであり、
前記突受け部は、前記ストライカを係止する１対の係止爪を有するラッチである請求項１記載のコンソールボックス。
【請求項３】
前記蓋体は、前記突状部または前記突受け部が設けられた辺において前記ボックス本体よりも外側に張り出しており、
前記蓋体における前記ボックス本体に対する張出部分には、前記ボックス本体側に突出した側突部が設けられており、
前記ボックス本体の側壁には、前記蓋体を開いたときに前記側突部が入り込む溝部が設けられている請求項１または２記載のコンソールボックス。
【発明の詳細な説明】
【技術分野】
【０００１】
本発明は、コンソールボックスに関する。
【背景技術】
【０００２】
従来のコンソールボックスとしては、例えば特許文献１に記載されている技術が知られている。特許文献１に記載のコンソールボックスは、上部に四角形状の開口が設けられたボックス本体と、このボックス本体の開口を開閉可能に覆う四角形状の蓋体とを備えている。蓋体の各辺には、開ボタンがそれぞれ設けられ、蓋体の各頂部には、ロックピンがそれぞれ設けられている。ボックス本体の開口周壁の上部の各角部には、保持枠がそれぞれ設けられ、各保持枠には、球体がそれぞれ回動可能に設けられている。例えば、前側開ボタンが開成操作されると、左前側ロックピン及び右前側ロックピンと前側の球体との係合が解除される。その状態で、蓋体を持ち上げると、左後側ロックピン及び右後側ロックピンが係合している後側の球体を回動軸として蓋体が前側に開成される。
【先行技術文献】
【特許文献】
【０００３】
【特許文献１】特開２００８−４５３２３号公報
【発明の概要】
【発明が解決しようとする課題】
【０００４】
上記従来技術においては、蓋体をボックス本体に対して前後左右方向に開閉することができるが、蓋体を前後左右方向に開閉するための構造が極めて複雑であり、コストアップにつながる。
【０００５】
本発明の目的は、簡単な構造で、蓋体をボックス本体に対して複数の方向に開閉させることができるコンソールボックスを提供することである。
【課題を解決するための手段】
【０００６】
本発明の一態様に係るコンソールボックスは、上端に開口が設けられたボックス本体と、ボックス本体に前後左右の４方向のうちの少なくとも２方向に開閉可能に取り付けられ、開口を塞ぐ蓋体とを備え、蓋体及びボックス本体の一方には、蓋体及びボックス本体の他方側に突出した複数の突状部が設けられており、蓋体及びボックス本体の他方には、突状部と係合する複数の突受け部が設けられており、突状部及び突受け部は、前後左右に対応する４辺のうちの少なくとも２辺に配置されており、突状部は、突受け部と係合した状態で突受け部に対して相対的に回動可能である。
【０００７】
このようなコンソールボックスにおいては、蓋体及びボックス本体の一方に設けられた突状部を蓋体及びボックス本体の他方に設けられた突受け部と係合させた状態で、前後左右に対応する４辺のうち何れかの一辺に配置された突状部を突受け部に対して相対的に回動させることで、蓋体をボックス本体に対して前後左右の４方向のうち何れかの一方向に開く。このように突状部と突受け部とを係合させた状態で突状部を突受け部に対して相対的に回動させるだけで、蓋体がボックス本体に対して前後左右の４方向のうちの少なくとも２方向に開閉可能となる。これにより、簡単な構造で、蓋体をボックス本体に対して複数の方向に開閉させることができる。
【０００８】
突状部は、ストライカであり、突受け部は、ストライカを係止する１対の係止爪を有するラッチであってもよい。このような構成では、蓋体をボックス本体に組み付けるときは、ストライカをラッチに嵌め込むだけでよいため、蓋体とボックス本体との組み付けを容易に行うことができる。
【０００９】
蓋体は、突状部または突受け部が設けられた辺においてボックス本体よりも外側に張り出しており、蓋体におけるボックス本体に対する張出部分には、ボックス本体側に突出した側突部が設けられており、ボックス本体の側壁には、蓋体を開いたときに側突部が入り込む溝部が設けられていてもよい。このような構成では、蓋体をボックス本体に対して前後左右の４方向のうち何れかの一方向に開いたときに、側突部が溝部に入り込むことで、蓋体がボックス本体に対して立った状態となるため、蓋体が前後左右方向にスペース効率良く当該一方向に開いた状態に保持されると共に、蓋体が上方に抜けることが防止される。
【発明の効果】
【００１０】
本発明によれば、簡単な構造で、蓋体をボックス本体に対して複数の方向に開閉させることができる。
【図面の簡単な説明】
【００１１】
【図１】本発明の一実施形態に係るコンソールボックスを示す分解斜視図である。
【図２】図１に示されたコンソールボックスの断面図である。
【図３】図２に示された蓋体をボックス本体に対して開いた状態を示す断面図である。
【発明を実施するための形態】
【００１２】
以下、本発明の実施形態について、図面を参照して詳細に説明する。
【００１３】
図１は、本発明の一実施形態に係るコンソールボックスを示す分解斜視図である。図２は、図１に示されたコンソールボックスの断面図である。図１及び図２において、本実施形態のコンソールボックス１は、特に図示はしないが、車両における運転席と助手席との間に配置されている。なお、図中の矢印Ｘは、車両の前後方向を示している。図中の矢印Ｙは、車両の左右方向を示している。図中の矢印Ｚは、車両の上下方向を示している。
【００１４】
コンソールボックス１は、平面視略矩形状のボックス本体２と、このボックス本体２に開閉可能に取り付けられた平面視略矩形状の蓋体３とを備えている。
【００１５】
ボックス本体２の上端には、開口２ａが設けられている。ボックス本体２は、略矩形状の底壁４と、底壁４の前縁部に立設された前側壁５と、底壁４の後縁部に立設された後側壁６と、底壁４の左縁部に立設された左側壁７と、底壁４の右縁部に立設された右側壁８とを有している。
【００１６】
前側壁５及び後側壁６は、互いに前後方向に対向して配置されている。左側壁７及び右側壁８は、互いに左右方向に対向して配置されている。前側壁５、後側壁６、左側壁７及び右側壁８は、略角筒状を呈している。
【００１７】
蓋体３は、ボックス本体２に左側、右側及び後側の３方向に開閉可能に取り付けられ、ボックス本体２の開口２ａを塞ぐ。蓋体３は、略矩形状のベース部９と、ベース部９の内面の前縁部に全体的に設けられ、ボックス本体２側に突出した前側突部１０と、ベース部９の内面の後縁部に全体的に設けられ、ボックス本体２側に突出した後側突部１１と、ベース部９の内面の左縁部に全体的に設けられ、ボックス本体２側に突出した左側突部１２と、ベース部９の内面の右縁部に全体的に設けられ、ボックス本体２側に突出した右側突部１３とを有している。
【００１８】
ベース部９の外面には、蓋体３をボックス本体２に対して持ち上げるための取っ手１７が設けられている。前側突部１０及び後側突部１１は、互いに前後方向に対向して配置されている。左側突部１２及び右側突部１３は、互いに左右方向に対向して配置されている。前側突部１０、後側突部１１、左側突部１２及び右側突部１３は、略矩形環状を呈している。
【００１９】
ベース部９の外形寸法は、底壁４の外形寸法よりも大きい。蓋体３が開口２ａを塞いだ状態では、蓋体３は、前後左右に対応する４辺においてボックス本体２よりも外側に張り出している。従って、前側突部１０、後側突部１１、左側突部１２及び右側突部１３は、蓋体３におけるボックス本体２に対する張出部分に設けられていることとなる。蓋体３が開口２ａを塞いだ状態では、前側突部１０、後側突部１１、左側突部１２及び右側突部１３は、それぞれ前側壁５、後側壁６、左側壁７及び右側壁８の外側に位置している。
【００２０】
ベース部９の内面の後側突部１１の近傍であり且つ蓋体３が開口２ａを塞いだ状態でボックス本体２内に位置する部位には、２つのストライカ１４が左右方向に並んで設けられている。つまり、ストライカ１４は、蓋体３の前後左右に対応する４辺のうち後側に対応する一辺に沿って配置されている。
【００２１】
ベース部９の内面の左側突部１２の近傍であり且つ蓋体３が開口２ａを塞いだ状態でボックス本体２内に位置する部位には、２つのストライカ１５が前後方向に並んで設けられている。つまり、ストライカ１５は、蓋体３の前後左右に対応する４辺のうち左側に対応する一辺に沿って配置されている。
【００２２】
ベース部９の内面の右側突部１３の近傍であり且つ蓋体３が開口２ａを塞いだ状態でボックス本体２内に位置する部位には、２つのストライカ１６が前後方向に並んで設けられている。つまり、ストライカ１６は、蓋体３の前後左右に対応する４辺のうち右側に対応する一辺に沿って配置されている。
【００２３】
ストライカ１４〜１６は、Ｕ字型のバーであり、ボックス本体２側に突出した複数の突状部を構成している。２つのストライカ１４において、後述するラッチ１８に嵌め込まれる部分は、一列となるように配置されている。２つのストライカ１５において、後述するラッチ１９に嵌め込まれる部分は、一列となるように配置されている。２つのストライカ１６において、後述するラッチ２０に嵌め込まれる部分は、一列となるように配置されている。
【００２４】
ボックス本体２における後側壁６の内壁面の上部には、２つのラッチ１８が左右方向に並んで設けられている。つまり、ラッチ１８は、ボックス本体２の前後左右に対応する４辺のうち後側に対応する一辺に沿って配置されている。ボックス本体２における左側壁７の内壁面の上部には、２つのラッチ１９が前後方向に並んで設けられている。つまり、ラッチ１９は、ボックス本体２の前後左右に対応する４辺のうち左側に対応する一辺に沿って配置されている。ボックス本体２における右側壁８の内壁面の上部には、２つのラッチ２０が前後方向に並んで設けられている。つまり、ラッチ２０は、ボックス本体２の前後左右に対応する４辺のうち右側に対応する一辺に沿って配置されている。
【００２５】
ラッチ１８〜２０は、ストライカ１４〜１６とそれぞれ係合する複数の突受け部を構成している。ストライカ１４〜１６は、ラッチ１８〜２０と係合した状態でラッチ１８〜２０に対してそれぞれ相対的に回動可能である。ラッチ１８〜２０は、ストライカ１４〜１６を係止する１対の係止爪２１をそれぞれ有している。各係止爪２１は、ラッチ１８〜２０の上端部に設けられている。ラッチ１８〜２０は、弾性変形可能な材料で形成されている。
【００２６】
後側壁６の上端部におけるラッチ１８の左右方向の両側には、蓋体３を後側に開いたとき（後述）にストライカ１４の両端部を受け入れる切欠部２２がそれぞれ設けられている。左側壁７の上端部におけるラッチ１９の前後方向の両側には、蓋体３を左側に開いたとき（後述）にストライカ１５の両端部を受け入れる切欠部２３がそれぞれ設けられている。右側壁８の上端部におけるラッチ２０の前後方向の両側には、蓋体３を右側に開いたとき（後述）にストライカ１６の両端部を受け入れる切欠部２４がそれぞれ設けられている。
【００２７】
また、後側壁６の上側部分には、後側壁６の外壁面に開口した溝部２５が設けられている。溝部２５は、後側壁６の左右方向の一端から他端まで延びている。溝部２５には、蓋体３を後側に開いたとき（後述）に後側突部１１の先端部が入り込む。左側壁７の上側部分には、左側壁７の外壁面に開口した溝部２６が設けられている。溝部２６は、左側壁７の前後方向の一端から他端まで延びている。溝部２６には、蓋体３を左側に開いたとき（後述）に左側突部１２の先端部が入り込む。右側壁８の上側部分には、右側壁８の外壁面に開口した溝部２７が設けられている。溝部２７は、右側壁８の前後方向の一端から他端まで延びている。溝部２７には、蓋体３を右側に開いたとき（後述）に右側突部１３の先端部が入り込む。
【００２８】
以上のように構成されたコンソールボックス１において、ボックス本体２に蓋体３を組み付けるときは、ボックス本体２の上方からストライカ１４〜１６をラッチ１８〜２０に対してそれぞれ押し込むことで、ラッチ１８〜２０の係止爪２１を弾性変形させて、ストライカ１４〜１６をラッチ１８〜２０に嵌め込む。これにより、蓋体３がボックス本体２に対して左側、右側及び後側の３方向に開閉可能に組み付けられた状態となる。
【００２９】
蓋体３をボックス本体２に対して右側に開くときは、取っ手１７を持って蓋体３の左側を持ち上げることで、ストライカ１４，１５をラッチ１８，１９から引き抜く。その状態で、図３に示されるように、ストライカ１６をラッチ２０に対して右側に回動させることで、蓋体３を右側に開く。そして、蓋体３を最大に開くと、蓋体３の右側突部１３の先端部が右側壁８の溝部２７に差し込まれる。これにより、右側突部１３の先端部が右側壁８に引っ掛かり、蓋体３がボックス本体２に対して垂直に立った状態となる。その状態から、蓋体３を閉じるときは、ストライカ１６をラッチ２０に対しては左側に回動させて、ストライカ１４，１５をラッチ１８，１９に嵌め込む。
【００３０】
蓋体３をボックス本体２に対して左側に開くときは、取っ手１７を持って蓋体３の右側を持ち上げることで、ストライカ１４，１６をラッチ１８，２０から引き抜く。その状態で、ストライカ１５をラッチ１９に対して左側に回動させることで、蓋体３を左側に開く。そして、蓋体３を最大に開くと、蓋体３の左側突部１２の先端部が左側壁７の溝部２６に差し込まれる。これにより、左側突部１２の先端部が左側壁７に引っ掛かり、蓋体３がボックス本体２に対して垂直に立った状態となる。その状態から、蓋体３を閉じるときは、ストライカ１５をラッチ１９に対して右側に回動させて、ストライカ１４，１６をラッチ１８，２０に嵌め込む。
【００３１】
蓋体３をボックス本体２に対して後側に開くときは、取っ手１７を持って蓋体３の前側を持ち上げることで、ストライカ１５，１６をラッチ１９，２０から引き抜く。その状態で、ストライカ１４をラッチ１８に対して後側に回動させることで、蓋体３を後側に開く。そして、蓋体３を最大に開くと、蓋体３の後側突部１１の先端部が後側壁６の溝部２５に差し込まれる。これにより、後側突部１１の先端部が後側壁６に引っ掛かり、蓋体３がボックス本体２に対して垂直に立った状態となる。その状態から、蓋体３を閉じるときは、ストライカ１４をラッチ１８に対して前側に回動させて、ストライカ１５，１６をラッチ１９，２０に嵌め込む。
【００３２】
以上のように本実施形態にあっては、ストライカ１４〜１６をラッチ１８〜２０と係合させた状態で、ストライカ１４をラッチ１８に対して相対的に回動させることで、蓋体３をボックス本体２に対して後側に開く。ストライカ１４〜１６をラッチ１８〜２０と係合させた状態で、ストライカ１５をラッチ１９に対して相対的に回動させることで、蓋体３をボックス本体２に対して左側に開く。ストライカ１４〜１６をラッチ１８〜２０と係合させた状態で、ストライカ１６をラッチ２０に対して相対的に回動させることで、蓋体３をボックス本体２に対して右側に開く。このようにストライカ１４〜１６とラッチ１８〜２０とを係合させた状態でストライカ１４〜１６をラッチ１８〜２０に対して相対的に回動させるだけで、蓋体３がボックス本体２に対して後側、左側及び右側の３方向に開閉可能となる。これにより、簡単な構造で、蓋体３をボックス本体２に対して３方向に開閉させることができる。その結果、コストの削減を図ることが可能となる。
【００３３】
また、本実施形態では、蓋体３をボックス本体２に組み付けるときは、ストライカ１４〜１６をラッチ１８〜２０に嵌め込むだけでよいため、蓋体３とボックス本体２との組み付けを容易に行うことができる。
【００３４】
また、本実施形態では、蓋体３をボックス本体２に対して後側に開いたときに、後側突部１１が溝部２５に入り込むことで、蓋体３がボックス本体２に対して立った状態となるため、蓋体３が前後方向にスペース効率良く後側に開いた状態に保持されると共に、蓋体３が上方に抜けることが防止される。蓋体３をボックス本体２に対して左側に開いたときに、左側突部１２が溝部２６に入り込むことで、蓋体３がボックス本体２に対して立った状態となるため、蓋体３が左右方向にスペース効率良く左側に開いた状態に保持されると共に、蓋体３が上方に抜けることが防止される。蓋体３をボックス本体２に対して右側に開いたときに、右側突部１３が溝部２７に入り込むことで、蓋体３がボックス本体２に対して立った状態となるため、蓋体３が左右方向にスペース効率良く右側に開いた状態に保持されると共に、蓋体３が上方に抜けることが防止される。
【００３５】
なお、本発明は、上記実施形態には限定されない。例えば上記実施形態では、蓋体３において、前側突部１０は、ベース部９の前縁部に全体的に設けられ、後側突部１１は、ベース部９の後縁部に全体的に設けられ、左側突部１２は、ベース部９の左縁部に全体的に設けられ、右側突部１３は、ベース部９の右縁部に全体的に設けられているが、特にその形態には限られない。ベース部９の前縁部には、前側突部１０が設けられていなくてもよい。後側突部１１は、ベース部９の後縁部の一部に設けられ、左側突部１２は、ベース部９の左縁部の一部に設けられ、右側突部１３は、ベース部９の右縁部の一部に設けられていてもよい。この場合には、ボックス本体２において、溝部２５は、後側突部１１に対応して後側壁６の一部に設けられ、溝部２６は、左側突部１２に対応して左側壁７の一部に設けられ、溝部２７は、右側突部１３に対応して右側壁８の一部に設けられていてもよい。また、蓋体３には、後側突部１１、左側突部１２及び右側突部１３が設けられていなくてもよく、ボックス本体２には、溝部２５〜２７が設けられていなくてもよい。
【００３６】
また、上記実施形態では、ストライカ１４〜１６及びラッチ１８〜２０は、２つずつ設けられているが、ストライカ１４〜１６及びラッチ１８〜２０の数としては、特にそれには限られず、１つずつであってもよい。
【００３７】
また、上記実施形態では、蓋体３には、突状部としてのストライカ１４〜１６が設けられ、ボックス本体２には、ストライカ１４〜１６と係合する突受け部としてのラッチ１８〜２０が設けられているが、特にその形態には限られず、ボックス本体２にストライカ１４〜１６が設けられ、蓋体３にラッチ１８〜２０が設けられていてもよい。
【００３８】
また、突状部及び突受け部の組み合わせとしては、特にストライカ１４〜１６及びラッチ１８〜２０には限られず、突状部が突受け部に係合した状態で突受け部に対して相対的に回動可能であればよく、例えばボール及びボール受け部等であってもよい。
【００３９】
また、上記実施形態では、蓋体３がボックス本体２に対して後側、左側及び右側の３方向に開閉可能であるが、特にその形態には限られず、蓋体３がボックス本体２に対して前側、後側、左側及び右側の４方向に開閉可能であってよい。この場合には、蓋体３及びボックス本体２の一方の前側部分に突状部が設けられ、蓋体３及びボックス本体２の他方の前側部分に突受け部が設けられることとなる。また、例えば蓋体３がボックス本体２に対して左側及び右側の２方向のみに開閉可能であってよい。要は、蓋体３は、ボックス本体２に対して前後左右の４方向のうちの少なくとも２方向（複数の方向）に開閉可能であればよい。この場合には、突状部及び突受け部は、前後左右に対応する４辺のうちの少なくとも２辺に配置されることとなる。
【符号の説明】
【００４０】
１…コンソールボックス、２…ボックス本体、２ａ…開口、３…蓋体、５…前側壁（側壁）、６…後側壁（側壁）、７…左側壁（側壁）、８…右側壁（側壁）、１０…前側突部（側突部）、１１…後側突部（側突部）、１２…左側突部（側突部）、１３…右側突部（側突部）、１４，１５，１６…ストライカ（突状部）、１８，１９，２０…ラッチ（突受け部）、２１…係止爪、２５，２６，２７…溝部。
【図１】
2020050300.tif 000003
【図２】
2020050300.tif 000004
【図３】
2020050300.tif 000005